(57)【要約】【課題】  投稿画像を街角などに設置された表示装置に表示する場合において、掲載が不適切な画像か否かの適切な判定をより迅速に収集する。【解決手段】  判定者は教育を受けた有資格者に限られる。判定者には、判定の迅速性、的確性に応じたポイントが付与される。判定ミスをした判定者のポイントは減少させる。ポイントは、報酬計算に利用される。判定者の選定は、過去の判定履歴に基づいて行う。【選択図】図１
2006134040.tif 000002
【特許請求の範囲】
【請求項１】
投稿情報管理装置であって、
判定者のポイントと、
投稿情報の掲載可否に関する前記判定者の判定結果とを記憶する記憶手段と、
前記投稿情報の掲載を継続するか否かを判定する掲載継続判定手段と、
前記掲載継続判定手段で前記投稿情報の掲載を継続しないと判定した場合、前記投稿情報を掲載可と判定した判定者のポイントを減少させる手段と、
前記ポイントを出力する手段と
を有することを特徴とする投稿情報管理装置。
【請求項２】
投稿情報管理装置であって、
判定者のポイントを記憶する記憶手段と、
投稿情報を受信する投稿情報受信手段と、
投稿情報の掲載可否を判定する判定者の端末を特定する判定者特定手段と、
前記判定者特定手段で特定した判定者の端末に前記投稿情報とともに判定要求を送信する判定要求手段と、
前記判定者用端末から判定結果を受信する判定結果受信手段と、
前記判定結果受信手段で受信した判定結果から予め定めた基準により投稿情報の掲載可否を決定する掲載可否決定手段と、
前記掲載可否決定手段で掲載可と決定した投稿情報を情報表示装置に送信する手段と、
前記投稿情報の掲載の継続を停止すべき旨の情報を受け付ける閲覧結果受付手段と、
前記閲覧結果受付手段で受け付けた情報が予め定めた基準を満たすか否かで、前記投稿情報の表示を継続するか否か判定する表示継続判定手段と、
前記表示継続判定手段で前記投稿情報の表示を継続しないと判定した場合、前記投稿情報を掲載可と判定した判定者のポイントを減少させる手段と、
前記ポイントを出力する手段と
を有することを特徴とする投稿情報管理装置。
【請求項３】
請求項２において、
前記判定者特定手段は、前記ポイントが予め定めた値以上の判定者の端末を、投稿情報の掲載可否を判定する判定者の端末として特定する
ことを特徴とする投稿情報管理装置。
【請求項４】
投稿情報管理装置であって、
判定者のポイントを記憶する記憶手段と、
投稿情報を受信する投稿情報受信手段と、
投稿情報の掲載可否を判定する判定者の端末を特定する判定者特定手段と、
前記判定者特定手段で特定した判定者の端末に前記投稿情報とともに判定要求を送信する判定要求手段と、
前記判定者の端末から判定結果を受信する判定結果受信手段と、
前記判定者のポイントに、前記判定結果受信手段で早く判定結果を受信した判定者ほど高いポイントを加算するポイント加算手段と、
前記ポイントを出力する手段と
を有することを特徴とする投稿情報管理装置。
【請求項５】
投稿情報管理装置であって、
判定者のポイントを記憶する記憶手段と、
投稿情報を受信する投稿情報受信手段と、
投稿情報の掲載可否を判定する判定者の端末を特定する判定者特定手段と、
前記判定者特定手段で特定した判定者の端末に前記投稿情報とともに判定要求を送信する判定要求手段と、
前記判定者用端末から判定結果を受信する判定結果受信手段と、
前記判定結果受信手段で受信した判定結果から予め定めた第１の基準により判定結果を抽出する判定結果抽出手段と、
前記判定結果抽出手段で抽出された判定結果から予め定めた第２の基準により投稿情報の掲載可否を決定する掲載可否決定手段と、
前記判定結果抽出手段で抽出された判定結果を送信した端末の判定者のポイントを増加させる手段と、
前記ポイントを出力する手段と
を有することを特徴とする投稿情報管理装置。
【請求項６】
請求項５において、
前記判定者特定手段は、前記ポイントが予め定めた値以上の判定者の端末を、投稿情報の掲載可否を判定する判定者の端末として特定する
ことを特徴とする投稿情報管理装置。
【請求項７】
投稿情報管理装置であって、
投稿情報を受信する投稿情報受信手段と、
投稿情報の掲載可否を判定する判定者の端末を特定する判定者特定手段と、
前記判定者特定手段で特定した判定者の端末に前記投稿情報とともに判定要求を送信する判定要求手段と、
前記判定者用端末から判定結果を受信する判定結果受信手段と、
前記判定結果受信手段で受信した判定結果から予め定めた基準により投稿情報の掲載可否を決定する掲載可否決定手段と、
前記掲載可否決定手段で掲載可と決定した投稿情報を情報表示に送信する手段とを有し、
前記判定者特定手段は、予め定めた条件を満たす判定者の端末を、投稿情報の掲載可否を判定する判定者の端末として特定する
ことを特徴とする投稿情報管理装置。
【請求項８】
請求項７において、
資格を有する判定者を記憶する手段を有し、
前記特定手段は、前記資格を有する判定者の端末を、投稿情報の掲載可否を判定する判定者の端末として特定する
ことを特徴とする投稿情報管理装置。
【請求項９】
投稿情報管理装置であって、
判定者の判定ミス件数を記憶する記憶手段と、
投稿情報の掲載可否を判定する判定者の端末を特定する判定者特定手段と、
前記判定者特定手段で特定した判定者の端末に前記投稿情報とともに判定要求を送信する判定要求手段と、
前記判定者用端末から判定結果を受信する判定結果受信手段と、
前記投稿情報の掲載を継続するか否かを判定する掲載継続判定手段と、
前記表示継続判定手段で前記投稿情報の掲載を継続しないと判定した場合、前記投稿情報を掲載可と判定した判定者の判定ミス件数を１増加させる手段とを有し、
前記特定手段は、前記判定ミス件数が予め定めた件数以下である判定者の端末を、投稿情報の掲載可否を判定する判定者の端末として特定する
を有することを特徴とする投稿情報管理装置。
【請求項１０】
請求項２において、
前記判定要求手段は、所定期間経過後に前記判定者の端末の記憶装置から前記投稿情報が消去されるように前記投稿情報を送信する
を有することを特徴とする投稿情報管理装置。
【請求項１１】
請求項２において、
前記投稿情報は画像情報であり、
前記判定結果受信手段は、投稿情報の画質に関する情報を受信し、
前記記憶手段は、情報提供者ごとの投稿情報の判定結果を画質に関する情報ともに記憶し、
前記投稿情報管理装置は、投稿情報の画像を加工する加工手段を有し、
前記加工手段は、受信した投稿情報が、過去に投稿情報を投稿したことがある投稿者からのものである場合、
過去の投稿情報の画質に関する情報に、明るい旨の情報が含まれている場合、受信した投稿画像を暗く加工し、
過去の投稿情報の画質に関する情報に、暗い旨の情報が含まれている場合、受信した投稿画像を明るく加工し、
前記判定要求手段は、前記加工手段で加工した投稿情報を判定者の端末に送信する
ことを特徴とする投稿情報管理装置。
【請求項１２】
請求項２において、
前記投稿情報は画像情報であり、
前記判定結果受信手段は、投稿情報の画質に関する情報を受信し、
前記記憶手段は、情報提供者ごとの投稿情報の判定結果を画質に関する情報ともに記憶し、
前記投稿情報管理装置は、投稿情報の画像を加工する加工手段を有し、
前記加工手段は、受信した投稿情報が、過去に投稿情報を投稿したことがある投稿者からのものである場合、
過去の投稿情報の画質に関する情報に、汚い旨の情報が含まれている場合、投稿画像に画質改善処理を行い、
前記判定要求手段は、前記加工手段で加工した投稿情報を判定者の端末に送信する
ことを特徴とする投稿情報管理装置。
【請求項１３】
投稿情報管理装置の情報処理方法であって、
前記投稿情報管理装置は、
判定者のポイントと、
投稿情報の掲載可否に関する前記判定者の判定結果とを記憶する記憶手段を有し、
前記投稿情報の掲載を継続するか否かを判定する掲載継続判定ステップと、
前記掲載継続判定ステップで前記投稿情報の掲載を継続しないと判定した場合、前記投稿情報を掲載可と判定した判定者のポイントを減少させるステップと、
前記ポイントを出力するステップと
を行うことを特徴とする投稿情報管理装置の情報処理方法。
【請求項１４】
投稿情報管理装置の情報処理方法であって、
前記投稿情報管理装置は、判定者のポイントを記憶する記憶手段を有し、
投稿情報を受信する投稿情報受信ステップと、
投稿情報の掲載可否を判定する判定者の端末を特定する判定者特定ステップと、
前記判定者特定ステップで特定した判定者の端末に前記投稿情報とともに判定要求を送信する判定要求ステップと、
前記判定者用端末から判定結果を受信する判定結果受信ステップと、
前記判定結果受信ステップで受信した判定結果から予め定めた第１の基準により判定結果を抽出する判定結果抽出ステップと、
前記判定結果抽出ステップで抽出された判定結果から予め定めた第２の基準をにより投稿情報の掲載可否を決定する掲載可否決定ステップと、
前記判定結果抽出ステップで抽出された判定結果を送信した端末の判定者のポイントを増加させるステップと、
前記ポイントを出力するステップと
を行うことを特徴とする投稿情報管理装置の情報処理方法。
【請求項１５】
投稿情報管理装置の情報処理方法であって、
投稿情報を受信する投稿情報受信ステップと、
投稿情報の掲載可否を判定する判定者の端末を特定する判定者特定ステップと、
前記判定者特定ステップで特定した判定者の端末に前記投稿情報とともに判定要求を送信する判定要求ステップと、
前記判定者用端末から判定結果を受信する判定結果受信ステップと、
前記判定結果受信ステップで受信した判定結果から予め定めた基準により投稿情報の掲載可否を決定する掲載可否決定ステップと、
前記掲載可否決定ステップで掲載可と決定した投稿情報を情報表示に送信するステップとを有し、
前記判定者特定ステップは、予め定めた条件を満たす判定者の端末を、投稿情報の掲載可否を判定する判定者の端末として特定する
ことを特徴とする投稿情報管理装置の情報処理方法。
【請求項１６】
コンピュータを投稿情報管理装置として機能させるコンピュータプログラムであって、
前記コンピュータを、
判定者のポイントと、
投稿情報の掲載可否に関する前記判定者の判定結果とを記憶する記憶手段と、
前記投稿情報の掲載を継続するか否かを判定する掲載継続判定手段と、
前記掲載継続判定手段で前記投稿情報の掲載を継続しないと判定した場合、前記投稿情報を掲載可と判定した判定者のポイントを減少させる手段と、
前記ポイントを出力する手段として機能させる
ことを特徴とするコンピュータプログラム。
【発明の詳細な説明】
【技術分野】
【０００１】
本発明は、投稿情報管理装置に関し、特に、情報提供者が提供する情報の公開の可否を決定する情報管理装置に関する。
【背景技術】
【０００２】
インターネットなどから広く投稿画像を募集し、それを街頭ディスプレイで公開するサービスがある。
【０００３】
そして、投稿された画像の掲載可否を判断するための審査システムとして、特許文献１には、投稿画像をサーバに蓄積し、判定者がインターネット経由でサーバにアクセスし、投稿画像が掲載に不適切でないか判定を行うシステムが記載されている。
【０００４】
【特許文献１】特願平１０−１０７６８３号公報
【発明の開示】
【発明が解決しようとする課題】
【０００５】
しかし、上記従来技術では、判定者にフィードバックされるものがないので、判定者が進んで適切な判定をするとは限らない。例えば、判定者が掲載可と判定したために投稿情報が公開された場合でも、実際に閲覧した者が掲載すべきでないと判断する場合がある。かかる場合、そのように判定した判定者は不適切な判定（判定ミス）を行ったことになるが、特許文献１の技術では、適切な判定した者と、不適切な判定した者とが同様に扱われる。したがって、特許文献１の技術では、同様の判定ミスがなされる可能性を低減できず、適切な判定結果を収集できるとは限らない。
【０００６】
また、特許文献１の技術では、早く判定をした者が特別に扱われるわけではないので、判定者が判定を迅速に行うとは限らず、迅速に判定結果を収集できるとは限らない。
【０００７】
そこで、本発明の目的は、より適切な判定結果をより迅速に収集する技術を提供することにある。
【課題を解決するための手段】
【０００８】
本発明の目的を達成するために、本発明の投稿情報管理装置は、判定結果、判定の迅速性に応じて判定者にポイントを与える。このポイントは、例えば、判定者の報酬額を決める際に使用されるものである。
【０００９】
例えば、本発明の投稿情報管理装置は、判定者のポイントと、投稿情報の掲載可否に関する前記判定者の判定結果とを記憶する記憶手段と、前記投稿情報の掲載を継続するか否かを判定する掲載継続判定手段と、前記掲載継続判定手段で前記投稿情報の掲載を継続しないと判定した場合、前記投稿情報を掲載可と判定した判定者（判定ミスをした判定者）のポイントを減少させる手段と、前記ポイントを出力する手段とを有する。
【００１０】
また、本発明の投稿情報管理装置は、投稿情報を受信する投稿情報受信手段と、投稿情報の掲載可否を判定する判定者の端末を特定する判定者特定手段と、前記判定者特定手段で特定した判定者の端末に前記投稿情報とともに判定要求を送信する判定要求手段と、前記判定者の端末から判定結果を受信する判定結果受信手段と、前記判定者のポイントに、前記判定結果受信手段で早く判定結果を受信した判定者ほど高いポイントを加算するポイント加算手段とを有していてもよい。
【００１１】
また、本発明の投稿情報管理装置は、前記判定結果受信手段で受信した判定結果から予め定めた第１の基準（例えば、過去の判定順位が所定順位以内の判定者の判定結果であること）により判定結果を抽出する判定結果抽出手段と、前記判定結果抽出手段で抽出された判定結果から予め定めた第２の基準（例えば、多数決）により投稿情報の掲載可否を決定する掲載可否決定手段と、前記判定結果抽出手段で抽出された判定結果を送信した端末の判定者のポイントを増加させる手段とを有していてもよい。
【００１２】
また、前記判定者特定手段は、予め定めた条件を満たす判定者の端末を、投稿情報の掲載可否を判定する判定者の端末として特定するようにしてもよい。
【００１３】
また、前記投稿情報の掲載の継続を停止すべき旨の情報を受け付ける閲覧結果受付手段を有し、前記掲載（表示）継続判定手段は、前記閲覧結果受付手段で受け付けた情報が予め定めた基準（例えば、掲載の継続を停止すべき旨の情報が所定件数以上）を満たすか否かで、前記投稿情報の表示を継続するか否か判定するようにしてもよい。
【発明を実施するための最良の形態】
【００１４】
以下、本発明の一実施形態について説明する。
【００１５】
図１は、本発明の一実施形態が適用された投稿情報管理システムの概略構成図である。本実施形態の投稿情報管理システムは、情報管理サーバ１０と、情報提供者端末２０、判定者端末３０と、閲覧者端末６０と、フロントエンド（ＦＥ）サーバ５０と、表示装置４０と、教育機関サーバ７０とを有する。各構成は、インターネットなどのネットワーク８で接続されている。
【００１６】
情報管理サーバ１０は、様々な処理を行う情報処理部１１と、記憶部１２とを有する。情報処理部１１は、例えば、つぎの機能を有する。
（１）システム全体の制御機能：本システム全体を制御する。
（２） Webサーバ機能：情報提供者端末２０、判定者端末３０、閲覧者端末６０からアクセス可能なWebページを提供する。
（３）メールサーバ機能：情報提供者端末２０、判定者端末３０、閲覧者端末６０から送信されるメールを処理する。
（４）コンテンツ管理：本システムで使用するコンテンツを管理する。尚、コンテンツは必要に応じてＦＥサーバ５０へ送信される。
（５）検閲結果集計処理：判定者端末３０からの判定結果を集計し、情報提供者端末２０からの投稿情報を表示装置４０に表示するか判断する。
（６）履歴管理：情報提供者端末２０から受信した投稿情報と表示装置４０に掲載した情報の履歴等を保持する。
【００１７】
記憶部１２には、コンテンツ情報１２１と、判定者情報１２２と、判定履歴情報１２３とが記憶されている。
【００１８】
コンテンツ情報１２１は、情報提供者端末２０から情報管理サーバ１０に送信された投稿情報に関する情報である。図２（ａ）は、コンテンツ情報１２１の構成を示す。
【００１９】
コンテンツ情報１２１は、１レコードに１コンテンツの情報が格納されている。各レコードには、レコードごとに、管理番号１２１２と、登録年月日１２１３と、投稿データ１２１４と、登録者情報１２１５と、判定結果１２１６と、結果訂正情報１２１７などが含まれている。管理番号１２１２は、登録された投稿情報を識別するための番号で、検索や管理のために使用される情報である。登録年月日１２１３は、投稿情報が登録された日付である。投稿データ１２１４は、投稿された画像やメッセージなどの情報である。登録者情報１２１５には、その情報を投稿した情報提供者のメールアドレス、名称、その投稿者の情報提供端末２０を識別するための情報などが含まれている。
【００２０】
判定結果１２１６は、投稿情報の掲載可否の判定結果を含んでいる。判定結果１２１６には、投稿を許可した判定者の数１２１６ａと、禁止した判定者の数１２１６ｂと、許可数１２１６ａと禁止数１２１６ｂとの数から予め定めた判定基準（例えば多数決）をもとに求められた最終の判定結果１２１６ｃとが含まれている。
【００２１】
結果訂正情報１２１７は、表示装置４０に投稿情報が掲載された後、掲載の停止があったかどうかの情報である。例えば、最終的に表示許可となって、実際に表示された情報であっても、閲覧者が表示不適切を考える場合がある。そして、その旨を閲覧者端末６０を介して情報管理サーバ１０に送信する場合がある。かかる場合、情報管理サーバ１０は、予め定めた基準（例えば掲載停止を求める件数が１０件以上）により、投稿情報の掲載続行を停止するように判定することがある。かかる場合、結果訂正情報１２１７として「訂正有り」（掲載禁止）の情報が格納される。なお、閲覧者端末６０からの情報を集計中の場合は、集計中である旨の情報が格納される。
【００２２】
判定者情報１２２は、投稿情報の掲載可否の判定を行う判定者に関する情報である。図２（ｂ）は、判定者情報１２２の構成を示す。
【００２３】
判定者情報１２２には、１レコードに１判定者の情報が格納されている。各レコードには、管理番号１２２１と、登録年月日１２２２と、判定者基本情報１２２３と、証明書コード１２２４と、利用端末情報１２２５と、履歴参照番号１２２６と、取得ポイント１２２７と、結果訂正数１２２８とが格納されている。
【００２４】
管理番号１２２１は、判定者を識別するための番号である。登録年月日１２２２は、その判定者を登録した日時（レコードを登録した日時）である。判定者基本情報１２２３は、登録されている判定者の基本情報で、例えば、名前、性別、住所、連絡先などの情報である。証明書コード１２２４は、判定者が認定を受けていることを証明するための情報であり、証明用のＩＤとパスワードが含まれている。判定者端末情報１２２５は、その判定者が使用する端末に関する情報である。履歴参照番号１２２６は、後述する判定履歴情報１２３の判定者ごとに設けられた履歴テーブル１２３ｎの履歴参照番号１２３１ａに対応している。取得ポイント１２２７は、その判定者が判定を行うたびに算出される数値で、報酬の支払いの計算に利用される。結果訂正数１２２８は、判定者が不適切な判定（判定ミス）をした件数である。
【００２５】
判定履歴情報１２３は、判定者の判定履歴に関する情報である。判定履歴情報１２３は、判定者毎に、履歴テーブル１２３ｎを有する。各履歴テーブル１２３ｎには、履歴参照番号１２３１ａが付与されている。図２（ｃ）は、ある判定者の履歴テーブル１２３ｎの構成を示す。
【００２６】
履歴テーブル１２３ｎには、１レコードに１履歴情報が格納されている。各レコードには、管理番号１２３１と、判定日１２３２と、コンテンツ対応番号１２３３と、判定順位１２３４と、判定結果１２３５と、判定コメント１２３６と、採用の有無１２３７と、表示結果１２３８と、結果訂正情報１２３９とが格納されている。
【００２７】
管理番号１２３１は、判定履歴情報を識別するための番号である。判定日１２３２は、判定者が判定を行った日時（判定者端末３０から判定結果を受信した日時）である。コンテンツ対応番号１２３３は、判定を行ったコンテンツ（投稿情報）の管理番号１２１２に対応している。
【００２８】
判定順位１２３４は、そのコンテンツについての判定結果を受信した順位である。例えば、複数の判定者がいる中で、ある判定者端末３０からｎ番目に判定を受信した場合、判定順位１２３４には、「ｎ番」が格納される。この値は、取得ポイント１２２７の算出に用いられる。
【００２９】
判定結果１２３５は、判定者端末３０から受信した判定結果である。判定コメント１２３６は、判定者により判定者端末３０に入力された判定に関するコメントである。
【００３０】
採用の有無１２３７は、判定結果１２３５が、最終判定結果１２３８を求める際に採用されたか否かを示す情報である。後述するように、判定順位１２３４が大きい場合（例えば、全判定者数の五分の四以降）、判定結果１２３５は採用されない。かかる場合、採用の有無１２３７には、「無」が格納される。
【００３１】
最終判定結果１２３８は、最終的な判定結果である。同一のコンテンツに関しては、コンテンツ情報１２１の最終的な判定結果１２１６ｃと同じ内容が格納される。結果訂正情報１２３９も、同一のコンテンツに関しては、コンテンツ情報１２１の結果訂正情報１２１７と同じ内容が格納される。
【００３２】
図１に戻って説明する。
【００３３】
教育機関サーバ７０は、判定者（判定者候補）の教育に関する処理を行うサーバである。教育機関サーバ７０は、様々な処理を行う情報処理部７１と、教育用の情報を記憶する記憶部７２とを有する。
【００３４】
情報提供者端末２０は、情報提者（投稿者）によって、投稿情報を情報管理サーバ１０に送信する際に使用される端末である。情報提供端末２０は、様々な処理を行う情報処理部２１と、画像情報などを表示する表示部２２と、記憶装置（図示なし）と、入力装置（図示なし）とを有する。情報処理部２１は、投稿する画像データを情報管理サーバ１０にネットワーク８を介して送信する。情報提供端末２０は、デジタルカメラなどの撮像機能を備えていてもよく、撮像した画像データを投稿情報として情報管理サーバ１０に送信するようにしてもよい。情報提供端末２０は、携帯電話機やパーソナルコンピュータにより構成することができる。投稿者は通常複数いるので、情報提供者端末２０も複数である。
【００３５】
判定者端末３０は、判定者によって投稿情報の判定の際に使用される端末である。判定者端末３０は、様々な処理を行う情報処理部３１と、画像情報等の表示を行う表示部３２と、記憶装置（図示なし）と、入力装置（図示なし）を有する。情報処理部３１は、情報管理サーバ１０から送信された判定対象の投稿情報をネットワーク８を介して受信する。また、情報処理部３１は、判定者によって、入力された判定結果を情報管理サーバ１０に送信する。判定者端末３０は、携帯電話機やパーソナルコンピュータにより構成することができる。判定者は通常複数いるので、判定者端末３０も複数である。
【００３６】
閲覧者端末６０は、表示装置４０に掲載された投稿情報の閲覧者によって、投稿情報の掲載を禁止すべき旨の情報を、情報管理サーバ１０に送信する際に使用される端末である。閲覧者端末６０は、様々な処理を行う情報処理部６１と、画像情報等の表示を行う表示部６２と、記憶装置（図示なし）と、入力装置（図示なし）を有する。情報処理部６１は、閲覧者端末６０に備えられた入力装置を介して入力された、投稿情報の掲載を禁止すべき旨の情報を受付ける。そして、その情報を、情報管理サーバ１０にネットワーク８を介して送信する。閲覧者端末６０は、携帯電話機やパーソナルコンピュータにより構成することができる。閲覧者は通常複数いるので、閲覧者端末６０も複数である。
【００３７】
なお、情報提供者端末２０、判定者端末３０、閲覧者端末６０は、それぞれの処理を行う専用機である必要はない。汎用の携帯電話機やパーソナルコンピュータで構成されてもよい。
【００３８】
ＦＥサーバ５０は、表示装置４０に表示する画像情報を管理するサーバである。ＦＥサーバ５０は、さまざまな処理を行う情報処理部４１と、情報管理サーバ１０から受信した画像情報を一旦保持する記憶装置４２とを有する。
【００３９】
表示装置４０は、閲覧者に投稿情報が閲覧可能なように表示する装置である。表示装置４０は、さまざまな処理を行う情報処理部４１と、表示する画像情報を保持する記憶装置４２と、投稿情報を掲載する表示部４５とを有する。表示部４５は、ＣＲＴディスプレイ、液晶ディスプレイ、プラズマディスプレイ等で構成される。表示装置４０は、例えば、大衆が閲覧可能な駅前、商店街などに複数設置される。
【００４０】
上述した情報管理サーバ１０、情報提供者端末２０、判定者端末３０、閲覧者端末６０、ＦＥサーバ５０、表示装置４０、教育機関サーバ７０は、ＣＰＵ等で構成される演算装置と、メモリやハードディスク等で構成される記憶装置と、キーボードやマウス等で構成される入力装置と、液晶ディスプレイやプリンタ等で構成される出力装置とを有するコンピュータシステムによって達成できる。また、情報処理部１１，２１，３１，４１，５１，６１，７１が行う各処理は、記憶装置からメモリにロードされたプログラムを実行することにより達成できる。
【００４１】
（動作の説明）  つぎに、上述した情報検閲システムの動作について説明する。
【００４２】
本実施形態の投稿情報管理システムは、その特徴的な処理として、判定者の教育に関する処理、投稿情報の掲載に関する処理、報酬に関する処理を行う。
【００４３】
（判定者教育処理）  まず、判定者候補を教育し判定者として認定する判定者教育処理について説明する。図３は、判定者教育処理のフロー図である。
【００４４】
まず、判定者候補の判定者端末３０の情報処理部３１は、判定者候補の要求に応じて、教育機関サーバ７０に、身分証明証情報５０３と、判定者教育の講座受講の申し込み要求とを送信する（S５０４）。
【００４５】
教育機関サーバ７０の情報処理部７１は、判定者端末３０から受信した身分証明証情報５０３を確認し、教育が受ける資格があるか判断する（Ｓ５０５）。資格がない場合、情報処理部７１は、申し込みを拒否する旨の情報を判定者端末３０に送信する（S５０６）。一方、資格がある場合、申し込みを受理する旨の情報を判定者端末３０に送信する（Ｓ５０７）。なお、資格があるか否かは、例えば、身分証明書情報５０３に含まれる年齢が所定年齢（例えば１８歳）に達しているか否かで判定する。
【００４６】
判定者端末３０の情報処理部３１は、申し込みを拒否された場合、その旨を表示部３２に表示し、判定者の教育処理を終了する。一方、申込みが受理された場合、判定者端末３０の情報処理部３１は、受理された旨を表示部３１に表示する。
【００４７】
教育機関サーバ７０の情報処理部７１は、申し込みを受理した場合（Ｓ５０５でＹｅｓ）、判定者候補を教育するための情報を送信する。なお、判定者候補を教育するための情報は、あらかじめ教育機関サーバ７０の記憶部７２に記憶されており、その内容は、（１）システムの理解、（２）判定に使用する機器の操作、（３）判定時の判断基準の理解と判定実習などに関する情報である。
【００４８】
判定者端末３０の情報処理部３１は、受信した教育のための情報を表示部３２に表示する。判定者候補は、表示された情報を見て、判定者として教育される（Ｓ５０８）。
【００４９】
教育が終了すると（教育のための情報を送信して所定期間経過後すると）、教育機関サーバ７０の情報処理部７１は、判定者端末３０に、資格試験のための情報を送信する。資格試験のための情報は、あらかじめ教育機関サーバ７０の記憶部７２に記憶されており、その内容は、教育されたかどうかを試す試験問題である。
【００５０】
判定者端末３０の情報処理部３１は、受信した資格試験のための情報を表示し、判定者候補者から回答を受け付ける。そして、受け付けた回答を教育機関サーバ７０に送信する。
【００５１】
教育機関サーバ７０の情報処理部７１は、受信した回答を基に、試験の合否を判断する（Ｓ５１０）。例えば、回答と、予め記憶しておいた正解を比較して、正解数が予め定めた数以上か否かで合否を判定する。不合格の場合、情報処理部７１は、その旨を判定者端末３０に送信し、再教育を受けるか否かを問合せる。これを受けて、判定者端末３０の情報処理部３1は、不合格の旨を表示するとともに、再教育を受けるか否かを判定者候補から受け付け、教育機関サーバ７０に送信する。教育機関サーバ７０の情報処理部７１は、再教育要求を受け付けた場合、Ｓ５０８に戻って再び、教育のための情報を判定者端末３０に送信する。
【００５２】
一方、合格の場合（Ｓ５１０で「合格」）、教育機関サーバ７０の情報処理部７１は、判定者候補を判定者として認定し、合格通知を判定者端末３０に送信する。
【００５３】
判定者端末３０の情報処理部３１は、受信した合格通知を表示するとともに、判定者により入力された登録用情報５１４を教育機関サーバ７０に送信する（Ｓ５１３）。登録用情報５１４には、判定者端末３０に関する情報等が含まれている。
【００５４】
教育機関サーバ７０の情報処理部７１は、受信した登録用情報５１４を情報管理サーバ１０に送信する（Ｓ５１５）。
【００５５】
情報管理サーバ１０の情報処理部１１は、図２（ｂ）に示すように、判定者情報１２２を生成する。すなわち、新たなレコードを追加し、そのレコードに管理番号１２２１を付与し、登録年月日１２２２として現在の日時を格納する。また、受信した登録用情報５１４を基に、情報判定者情報１２２３と利用者端末情報１２２５を生成し格納する。また、証明書コード１２２４として、ＩDとパスワードを生成し格納する（Ｓ５１７）。そして、ＩＤとパスワードを運用情報５１９として教育機関サーバ７０に送信する（Ｓ５１８）。教育機関サーバ７０の情報処理部７１は、受信した運用情報５２０を判定者端末３０に送信する（Ｓ５２１）。
【００５６】
判定者端末３０の情報処理部３１は、受信したＩＤとパスワードを表示する。これにより、判定者候補者は、判定者として認定され、次回に情報管理サーバ１０にアクセスする際のＩＤとパスワードが発行されたことを認識できる。
【００５７】
以上、判定者教育処理について説明した。
【００５８】
（投稿情報掲載に関する処理）つぎに、投稿情報が掲載者により投稿され、判定可否が決定され、表示装置４０に掲載されるまでの処理について説明する。図４は、かかる処理のフロー図である。
【００５９】
まず、情報提供者端末２０の情報処理部２１は、投稿情報を特定する（Ｓ８０１）。例えば、情報提供者端末２０がデジタルカメラなどの撮像機能を備え、過去に撮像された画像ファイルを記憶している場合、情報処理部２１は、端末利用者から、記憶している画像の中から投稿する画像の選択を受け付ける。そして、選択された画像を投稿情報として特定する。また、画像とともに表示するコメントの入力も受け付け、画像とコメントを投稿情報とする。
【００６０】
つぎに、情報処理部２１は、特定した投稿情報を情報管理サーバ１０に送信する（Ｓ８０４）。
【００６１】
情報管理サーバ１０の情報処理部１１は、コンテンツ情報１２１に管理番号１２１２を付与したレコードを追加し、そのレコードに受信した投稿情報を格納する（Ｓ８０５）。
【００６２】
つぎに、情報管理サーバ１０の情報処理部１１は、投稿情報の掲載可否の判定結果の収集処理を行う（Ｓ８０６）。図５は、判定結果収集処理の流れを示すフロー図である。
【００６３】
まず、情報管理サーバ１０の情報処理部１１は、判定者情報１２２から、判定者の利用端末１２２５を抽出し、抽出した端末を、判定を要求する判定者端末２０として設定する。そして、設定した判定者端末２０に、判定要求とともに、Ｓ８０５でコンテンツ情報１２１に登録した判定対象の投稿情報を送信する。
【００６４】
判定者端末２０の情報処理部２１は、受信した投稿情報を表示部２２に表示する。そして、判定結果とコメントの入力を受け付ける（Ｓ９０３）。このとき、ＩＤとパスワードの入力も受け付ける。なお、投稿情報を表示する前に、ＩＤとパスワードを受け付けるようにしてもよい。また、Ｓ５２１でＩＤとパスワードが発行されたときに、判定者端末２０の記憶装置にＩＤとパスワードを記憶しておき、ここではＩＤとパスワードの入力を省略するようにしてもよい。
【００６５】
つぎに、判定者端末３０の情報処理部２１は、入力された判定結果とコメントを、ＩＤ及びパスワードとともに、情報管理サーバ１０に送信する（Ｓ９０５）。
【００６６】
つぎに、情報管理サーバ１０の情報処理部１１は、判定者情報１２２の中から、受信したＩＤとパスワードの組合せが、証明書コード１２２４に含まれているレコードを抽出する。抽出できた場合は、認証に成功したと判定する。抽出できなかった場合は、認証に失敗したと判定する（Ｓ９０７）。認証に失敗した場合、情報管理サーバ１０の情報処理部１１は、認証に失敗した旨を判定者端末２０に送信する。これを受けて、判定者端末３０の情報処理部３１は、認証失敗の情報を表示する。これにより、不正な機器から判定者の振りをして何者かが情報を送信しても、それを識別して排除することが可能になる。
【００６７】
一方、認証に成功した場合（Ｓ９０７でＹｅｓ）、情報管理サーバ１０の情報処理部１１は、判定結果等を判定履歴情報１２３に格納する（Ｓ９０８）。具体的には、Ｓ９０７で抽出したレコードの履歴参照番号１２２６が履歴参照番号１２３１ａである判定履歴情報１２３の履歴テーブル１２３ｎに、新たなレコードを追加し、管理番号１２３１を付与する。そして、そのレコードに、判定日１２３２として、現在の日時を格納する。コンテンツ対応番号１２３３として判定対象の投稿情報のコンテンツの管理番号１２１２を格納する。判定順位１２３４として、判定結果を送信してきた順番を格納する。判定結果１２３５として、判定者端末２０から受信した判定結果を格納する。判定コメント１２３６として、判定者端末２０から受信したコメントを格納する。
【００６８】
また、判定結果が「掲載許可」場合、のコンテンツ情報１２１の判定結果１２１６の許可数１２１６ａの数に１を足す。一方、判定結果が「掲載禁止」場合、のコンテンツ情報１２１の判定結果１２１６の禁止数１２１６ｂの数に１を足す。
【００６９】
また、情報処理部１１は、判定者情報１２２の取得ポイント１２２７を更新する。具体的には、例えば、判定順位１２３４から下記数式（１）により取得ポイント１２２７を算出する。
取得ポイント = (基準値−判定順位)   ・・・  数式(1)
（ここで、基準値は、予め定めた数（例えば、全判定者数））
但し、数式(1)の計算結果が負になる場合は、取得ポイントを0とする。また、もう一つの取得ポイント１２２７の計算方法として、登録に要した時間に応じて取得ポイントを計算してもよい。この式によれば、迅速に対応した判定者に高いポイントを付与することができる。
【００７０】
こうして、判定要求を送信した判定者端末３０から所定の数以上（例えば、判定要求した判定者端末３０の数の３０％以上）の判定結果が受信されると、情報管理サーバ１０の情報処理部１１は、投稿情報を表示するか否かの最終的な判定処理を行う（Ｓ８０７）。
【００７１】
例えば、情報処理部１１は、許可数１２１６ａと禁止数１２１６ｂとを比較して、多い方を採用する。または、予め決めた数に許可数１２１６ａもしくは禁止数１２１６ｂが到達した場合に、早く到達した方を採用するようにしてもよい。
【００７２】
最終的に投稿情報を表示する（表示許可）と判定した場合（Ｓ８０７でＹｅｓ）、情報管理サーバ１０の情報処理部１１は、コンテンツ情報１２１の中から、判定対象の投稿情報を含むレコードを検索し、検索されたレコードの判定結果１２１６の判定結果１２１６ｃに、「表示許可」の旨の情報を格納する。さらに、判定履歴情報１２３の中から、判定対象の投稿情報のコンテンツ対応番号１２３３を含むレコードを検索し、検索されたレコードの最終判定結果１２３８に、「表示許可」の旨の情報を格納する。
【００７３】
さらに、情報処理部１１は、投稿情報をＦＥサーバ５０に送信し、投稿情報を表示装置４０に表示するように指示し（Ｓ８０８）、Ｓ８１０の処理に移行する。
【００７４】
ＦＥサーバ５０は、受信した投稿情報を表示装置４０に表示する（Ｓ８０９）。
【００７５】
図７は、表示装置４０の表示画面の表示例である。例えばこのように、掲載許可された投稿画像を一覧表示する。
【００７６】
各構成要素について説明する。フレーム４５1は、掲載した画像とそれに関する諸情報を識別しやすいように設けられた枠である。各情報はこの枠の中に表示される。表示装置識別番号４５２は、閲覧者が表示装置４０を識別するために利用する。テーマ４５３は掲載している画像のテーマを示す。画像フレーム４５４は、各掲載画像とそのコメントを識別しやすいように、画像毎に表示される。コメント番号４５５は、閲覧者が掲載画像に対して、情報管理サーバ１０に何か伝える場合に利用する識別番号である。投稿コメント４５６は、投稿されたコメント内容を示す。投稿画像４５７は、投稿された画像を示す。投稿時刻４５８は、いつこの情報が投稿されたかを示す。
【００７７】
一方、投稿情報を表示すべきでない（投稿禁止）と判定した場合（Ｓ８０７でＮｏ）、情報管理サーバ１０の情報処理部１１は、コンテンツ情報１２１の中から、判定対象の投稿情報を含むレコードを検索し、検索されたレコードの判定結果１２１６の判定結果１２１６ｃに、「表示禁止」の旨の情報を格納する。さらに、判定履歴情報１２３の中から、判定対象の投稿情報のコンテンツ対応番号１２３３を含むレコードを検索し、検索されたレコードの最終判定結果１２３８に、「表示禁止」の旨の情報を格納する。
【００７８】
つぎに、情報処理部１１は、表示許可または禁止した旨の情報を投稿情報を提供した提供者端末２０に送信する（Ｓ８１０）。これをうけて、提供者端末２０の情報処理部２１は、表示許可・禁止された旨の情報を表示する（Ｓ８１１）。情報提供者は、この表示から投稿情報が表示許可・禁止されたことを知ることができる。
【００７９】
なお、情報管理サーバ１０の情報処理部１１は、判定者の判定結果が、Ｓ８０７で最終的な判定をする際に使用された否かの情報１２３７を格納する。具体的には、情報処理部１１は、判定履歴情報１２３の中から、判定対象のコンテンツの対応番号１２３３を含むレコードを抽出する。そして、抽出したレコードについて、次ぎの処理をする。判定日時１２３２が、Ｓ８０７で判定する前であるレコードについては、そのレコードの採用１２３７の項目に「採用した」旨の情報を格納する。一方、判定日時１２３２が、Ｓ８０７で判定する後であるレコードについては、そのレコードの採用１２３７の項目に「不採用」旨の情報を格納する。
【００８０】
（判定者の報酬に関する処理）  つぎに、判定者の報酬に関する処理について説明する。上述のように、判定者の報酬は、判定者ごとに、判定者情報１２２に記憶された取得ポイント１２２７により決定される。ただし、取得ポイントは、投稿情報が掲載された後の閲覧者からの掲載すべきでないとの指摘により影響を受ける。
【００８１】
図６は、判定者の報酬に関する処理の流れを示すフロー図である。
【００８２】
投稿情報を閲覧した者が、その投稿情報が掲載されるべきでないと考えた場合、閲覧者端末６０は、その旨を掲載禁止情報として受け付ける。そして、情報管理サーバ１０に掲載禁止情報を送信する（Ｓ１００１）。
【００８３】
情報管理サーバ１０の情報処理部１１は、掲載禁止情報を受信すると、予め定めた掲載基準により、掲載を続行すべきか否か判定する（Ｓ１００２）。例えば、情報処理部１１は、掲載禁止情報を受け付けた件数が予め定めた件数以上（例えば１０件以上）の場合、掲載を停止すべきと判定する。
【００８４】
掲載を停止すべきと判定した場合（Ｓ１００２でＹｅｓ）、情報管理サーバ１０の情報処理部１１は、掲載を停止するようにＦＥサーバ５０に指示する。これを受けて、ＦＥサーバ５０の情報処理部５１は、表示装置４０への投稿情報の表示を停止する（Ｓ１００４）。
【００８５】
また、掲載を停止すべきと判定した場合（Ｓ１００２でＹｅｓ）、情報管理サーバ１０の情報処理部１１は、コンテンツ情報１２１の中から、判定対象の投稿情報を含むレコードを検索し、検索されたレコードの結果訂正情報１２１７に、「訂正あり」の旨の情報を格納する。さらに、判定履歴情報１２３の中から、判定対象の投稿情報のコンテンツ対応番号１２３３を含むレコードを検索し、検索されたレコードの結果訂正情報１２３９に、「訂正あり」の旨の情報を格納する。
【００８６】
一方、掲載を停止すべきと判定しなかった場合（Ｓ１００２でＮｏ）、情報管理サーバ１０の情報処理部１１は、処理をＳ１００５に移行する。
【００８７】
つぎに、情報管理サーバ１０の情報処理部１１は、予め定めた掲載期間が経過したか判定し、経過した場合（Ｓ１００５）、掲載終了をＦＥサーバ１０に送信する。これを受けて、ＦＥサーバ５０の情報処理部５１は、表示装置４０への投稿情報の表示を終了する（Ｓ１００７）。
【００８８】
つぎに、情報管理サーバ１０の情報処理部１１は、判定者情報１２２の結果訂正数１２２８を見直す。具体的には、判定履歴情報１２３から、今回掲載を停止すべきと判定されたコンテンツのレコードを抽出する。抽出したレコードから、判定結果１２３５が「表示許可」を示しており、かつ最終的な判定１２３８が「表示許可」を示しており、かつ結果訂正情報１２３９が「訂正あり」を示しているレコードを抽出する。そして、そのレコードの属する履歴テーブル１２３ｎの履歴参照番号１２３１ａが、履歴参照番号１２２６であるレコードを、判定者情報１２２から抽出する。さらに、抽出したレコードの結果訂正数１２２８に１を足して更新する。更に、その判定者の取得ポイント１２２７を、０ポイントに変更する。
【００８９】
つぎに、情報処理部１１は、報酬額（報酬情報）を求める（Ｓ１００８）。具体的には、判定者情報１２２の取得ポイント１２２７を基に報酬額を算出する。この計算方法としては例えば、１ポイント=10円など単純に金額に変換する方法、1〜1000ポイントは5000円、1001〜2000ポイントは10000円など、取得ポイント数にランクをつけて金額を算出する方法などである。
【００９０】
そして、取得ポイントに応じた報酬額を計算し、判定者端末３０に送信する（Ｓ１００９）。
【００９１】
判定者端末３０の情報処理部３１は、受信した報酬額を表示する。これにより、判定者に、報酬額を知らせることができる。そして、自己の報酬額を増やすために、迅速かつ適切な判定を行うようにさせることができる。
【００９２】
以上、本発明の一実施形態について説明した。
【００９３】
上記実施形態によれば、より適切な判定結果をより迅速に収集する技術が提供される。
【００９４】
また、情報を審査する情報判定者が、判定結果に応じた報酬を受け取る形式を取るため、運営者側から見ると情報の投稿量に比例して支払い金額が増減するため、コスト的に無駄が少ない。また、情報判定者は投稿情報をすばやく判定するほど報酬が増えるため、短期間で判断することに対するモチベーションが高くなり、結果として投稿情報の迅速な処理が可能になる。更にまた、複数の情報判定者の判定結果を総合して判定するため、判定結果の妥当性が高くなり、結果として掲載される情報の品質を保つことができるようになる。
【００９５】
また、判定者に投稿情報の投稿者の情報を送信しないので、情報掲載者の匿名性を保てる。また、駅、街中等、公共性の高い場所に大型のディスプレイを設置し、テーマを決めて不特定多数から情報を集めて表示するコンテストなどを開催する際に、品質の悪い情報を効率的に除去でき、掲載する情報の品質を保つことができる。
【００９６】
本発明は、上記実施形態に限定されることなく、様々な変形が可能である。
【００９７】
例えば、投稿情報が判定者端末３０に残らないようにしてもよい。具体的には、情報管理サーバ１０の情報処理部１１は、判定者端末３０に送信する投稿情報を暗号化して送信する。判定者端末３０の情報処理部３１は、自身に備える耐タンパ性のある復号化ソフトで、暗号化された投稿情報を復号した後、投稿情報を表示する。判定者端末３０の情報処理部３１は、判定結果の入力を受け付け、判定結果を情報管理サーバ１０に送信すると、自身の記憶装置に記憶されていた投稿情報を消去する。または、情報管理サーバ１０の情報処理部１１は、投稿情報を受信して所定期間（例えば４８時間）経過後に、投稿情報を削除するように判定者端末３０に指示するようにしてもよい。
【００９８】
このようにすれば、投稿情報は暗号化されているので、不要に解析されることを防止できる。また、判定者端末３０の記憶装置に投稿情報が残らないので、情報の機密性が向上する。
【００９９】
また、判定者の判定履歴に基づいて、投稿情報を加工するようにしてもよい。
【０１００】
例えば、情報管理サーバ１０の情報処理部１１は、情報提供端末２０から投稿情報を受信した場合、受信した情報に含まれる情報提供者に関する情報から、情報提供者またはその情報提供端末２０を特定する。そして、過去にその情報提供者又はその情報提供端末２０から投稿情報を受け付けたことがあるかどうかを判定する。具体的には、コンテンツ情報１２１の登録者情報１２１５にその情報提供者が登録されているか否かで判定する。過去に投稿情報を受け付けたことがある場合、コンテンツ情報１２１から、その情報提供者を含むレコードを抽出し、抽出したレコードの管理番号１２１２を特定する。そして、その管理番号１２１２をコンテンツ対応番号１２３３に含むレコードを判定履歴情報１２３から抽出する。さらに、抽出したレコードの判定結果１２３５およびコメント１２３６を抽出する。
【０１０１】
そして、過去の投稿情報のコメント１２３６に、画像の明暗に関するコメントが含まれている場合、投稿された画像に関して明暗調整の加工を行う。例えば、コメント１２３６に、画像が暗いを意味する内容が含まれている場合、情報処理部１１は、受け付けた画像の明るさを明るめに加工する。、画像が明る過ぎるなどを意味する内容が含まれている場合、情報処理部１１は、受け付けた画像の明るさを暗めに加工する。そして、加工した後の画像を判定者端末３０に送信するようにする。
【０１０２】
また、過去の投稿情報のコメント１２３６に、画質に関するコメントが含まれている場合、投稿された画像に関して画質調整の加工を行う。例えば、コメントトに、画像が汚いなどを意味する内容が含まれている場合、情報処理部１１は、受け付けた画像に画質改善処理、例えば、ソフトフィルターを施す。そして、加工した後の画像を判定者端末３０に送信するようにする。
【０１０３】
また、情報管理サーバ１０は、判定者を選択するようにしてもよい。例えば、情報処理部１１は、判定履歴情報１２３の判定順位１２３４が所定順位以内（例えば２０位以内）のレコードを抽出する。抽出したレコードの属す履歴テーブル１２３ｎの履歴参照管理番号１２３ａを特定する。そして、判定者情報１２２から、履歴参照番号１２２６が、特定した履歴参照番号１２３ａであるレコードを抽出する。さらに、抽出したレコードに含まれる判定者の利用端末１２２５を特定する。そして、特定した端末に、投稿情報を送信し、判定を要求するようにする。こうすれば、判定を迅速に行う傾向にある判定者に判定を依頼することができる。そして、緊急に判定する必要がある投稿情報について、迅速に判定結果を収集できる。
【０１０４】
また、判定の難易によって、判定者を指定するようにしてもよい。例えば、投稿情報を受信した場合、情報処理部１１は、上記と同様に、同一の情報提供者の過去の投稿情報のコメント１２３６を調べる。そして、コメント１２３６に、判定の難易に関するコメントが含まれているか調べる。そして、判定が難しかった旨のコメントが含まれている場合、判定者情報１２２の結果訂正数１２２８が所定回数以内（例えば、５回以内）のレコードを抽出し、抽出したレコードの利用者端末情報１２２６で特定される端末に投稿情報を送信し判定要求をする。こうすれば、判定の難しい画像についても適切に判定できる判定者に判定をさせることができる。
【０１０５】
また、上記実施形態では、教育機関サーバと情報管理サーバを別個に設けたが、別個に設けずに、情報管理サーバが、教育機関サーバの処理をも行うようにしてもよい。
【０１０６】
以上、本発明によれば、投稿情報に関する掲載可否について、より適切な判定結果をより迅速に収集することができる。
【図面の簡単な説明】
【０１０７】
【図１】本発明の投稿情報管理システムの概略構成図である。
【図２】図２（ａ）はコンテンツ情報の構成例、図２（ｂ）は判定者情報の構成例、図２（ｃ）は判定履歴情報の構成例である。
【図３】判定者の教育に関する処理のフロー図である。
【図４】投稿情報の掲載に関する処理のフロー図である。
【図５】判定結果の収集に関する処理のフロー図である。
【図６】報酬に関する処理のフロー図である。
【図７】投稿情報の表示例である。
【符号の説明】
【０１０８】
１０…情報管理サーバ，１１…情報処理部，１２…記憶部
２０…情報提供者端末
３０…判定者端末
４０…表示装置
５０…フロントエンドサーバ
６０…閲覧者端末
７０…教育機関サーバ
２１，３１，４１，５１，６１，７１…情報処理部
２２，３２，４５，６２…表示部
４２，５２，７２…記憶部
【図１】
2006134040.tif 000003
【図２】
2006134040.tif 000004
【図３】
2006134040.tif 000005
【図４】
2006134040.tif 000006
【図５】
2006134040.tif 000007
【図６】
2006134040.tif 000008
【図７】
2006134040.tif 000009